(57)【要約】【課題】市販の焼酎瓶や清酒瓶等の飲料瓶からグラスやコップに手軽に注ぐことができ、また、グラスその他の必要な容器を揃えて配置することのできる飲料サーバーセットを提供する。【解決手段】飲料瓶４０をその口部４０Ａが下を向く傾斜姿勢に保持する瓶スタンド２０を膳本体１０上に備え、瓶スタンド２０は、膳本体１０の略中央と隅部に位置して飲料瓶４０の首部４０Ｂと胴部４０Ｃをそれぞれ下から支持する２つの支柱２１，２２と、飲料瓶４０の胴部４０Ｃを保持する着脱ベルト３０とを備え、飲料瓶４０の口部４０Ａには吐出コック３２を取り付け、膳本体１０上には、瓶スタンド２０上の飲料瓶４０から吐出される飲料が注がれる容器５０を収容する収容凹所１７を、前記隅部と対角線上の隅部側に位置して設ける。【選択図】図４
0003153629.tif 000002
【実用新案登録請求の範囲】
【請求項１】
飲料瓶をその口部が下を向く傾斜姿勢に保持する瓶スタンドを膳本体上に備え、瓶スタンドは、膳本体の略中央と隅部に位置して飲料瓶の首部と胴部をそれぞれ下から支持する２つの支柱と、飲料瓶の胴部を保持する着脱ベルトとを備え、飲料瓶の口部には吐出コックが取り付けられ、膳本体上には、瓶スタンド上の飲料瓶から吐出される飲料が注がれる容器を収容する収容凹所が、前記隅部と対角線上の隅部側に位置して設けられていることを特徴とする飲料サーバーセット。
【請求項２】
瓶スタンドの２つの支柱の間隔がスライダーにより調整可能とされていることを特徴とする請求項１記載の飲料サーバーセット。
【請求項３】
飲料に用いる第２の容器を収容する第２の収容凹所が残りの隅部のいずれか一に設けられていることを特徴とする請求項１又は請求項２記載の飲料サーバーセット。
【請求項４】
膳本体が段ボール板を積層してなることを特徴とする請求項１ないし請求項３のいずれか一項に記載の飲料サーバーセット。
【考案の詳細な説明】
【技術分野】
【０００１】
本考案は、一つの膳本体上にコック付きの飲料瓶、グラス、その他の必要な容器を揃えて配置できるようにした飲料サーバーセットに関するものである。
【背景技術】
【０００２】
市販の焼酎瓶や清酒瓶あるいは醤油瓶には、一升瓶（１．８Ｌ）や５合瓶（７２０ｍＬ）が存在し、市販の飲料ペットボトルには１Ｌサイズ、１．５Ｌサイズの他、２Ｌサイズの重量のあるものも存在する。これらの飲料瓶（ペットポトルも含む）からグラスやコップに焼酎、清酒その他の飲料を注ぐには、飲料瓶を両手で持ち上げて傾けなければならず、握力の弱いお年寄りなどにとっては非常に負担である。市販の焼酎サーバーは、コックを開けてグラスに焼酎を注ぐことが出来るが、サーバー容器内に市販の焼酎瓶から焼酎を移し替えなければならず、その負担は無視できない。
【０００３】
家庭用サーバーとしては、ケース内に市販の缶や瓶を収容し、ガスボンベからの加圧ガスを利用して、飲料注出管を通してケース外面の注出コックから飲料を注出するようにしたものが提案されている（特許文献１参照）。
【先行技術文献】
【特許文献】
【０００４】
【特許文献１】特開２００２−６８３７９号公報
【考案の概要】
【考案が解決しようとする課題】
【０００５】
しかしながら、上記特許文献に記載されたサーバーは、ケース内にガスボンベや飲料注出管を装備するなど、構造が複雑でサイズが大きくなり、家庭用に設置するには場所を取るとともに、手軽に持ち運び出来ないなどの問題があった。
【０００６】
本考案は上記課題に鑑みてなされたもので、市販の焼酎瓶や清酒瓶等の飲料瓶からグラスやコップに手軽に注ぐことができ、また、グラスその他の必要な容器を揃えて配置することのできる飲料サーバーセットを提供することを目的とする。
【課題を解決するための手段】
【０００７】
上記課題を解決するために、本考案に係る飲料サーバーセットは、飲料瓶をその口部が下を向く傾斜姿勢に保持する瓶スタンドを膳本体上に備え、瓶スタンドは、膳本体の略中央と隅部に位置して飲料瓶の首部と胴部をそれぞれ下から支持する２つの支柱と、飲料瓶の胴部を保持する着脱ベルトとを備え、飲料瓶の口部には吐出コックが取り付けられ、膳本体上には、瓶スタンド上の飲料瓶から吐出される飲料が注がれる容器を収容する収容凹所が、前記隅部と対角線上の隅部側に位置して設けられていることを第１の特徴とする。
【０００８】
本考案に係る飲料サーバーセットは、瓶スタンドの２つの支柱の間隔がスライダーにより調整可能とされていることを第２の特徴とする。
【０００９】
本考案に係る飲料サーバーセットは、飲料に用いる第２の容器を収容する第２の収容凹所が残りの隅部のいずれか一に設けられていることを第３の特徴とする。
【００１０】
本考案に係る飲料サーバーセットは、膳本体が段ボール板を積層してなることを第４の特徴とする。
【考案の効果】
【００１１】
以上説明したように、本考案に係る飲料サーバーセットによれば、市販の焼酎瓶や清酒瓶を手で傾けることなく、それらの瓶からグラスに焼酎や清酒などの飲料を気軽に注ぐことができる。したがって、お年寄りや握力が弱い人でも、安心してお酒などを提供したり、自ら楽しんだりすることができるし、従来のように、専用サーバーに移し変える必要もない。また、膳本体上に飲料瓶、グラス、水差し、氷容器等をまとめて収容できるように工夫することで、居酒屋、料理店のカウンター、各家庭などで、各人が他人に煩わされることなく自分のペースでお酒などを楽しむことができる。さらに楽しんだ後は一度にまとめて後片付けできるので便利である。
【図面の簡単な説明】
【００１２】
【図１】本考案の第１実施形態を示すもので、本考案に係る飲料サーバーセットの斜視図、
【図２】図１に示す飲料サーバーセットの一部を断面視した平面図、
【図３】図１に示す飲料サーバーセットの対角線方向に沿う縦断面図、
【図４】図１の飲料サーバーセットに焼酎瓶、氷容器、グラスをセットした状態を示す斜視図である。
【考案を実施するための最良の形態】
【００１３】
以下、本考案を実施するための最良の形態について図面を参照して説明する。図１ないし図４は、本考案の第１実施形態を示すもので、これらの図において、符号Ｓは飲料サーバーセットを示している。
【００１４】
飲料サーバーセットＳは、図１に示すように、膳本体１０に瓶スタンド２０を備えた基本構成とされている。
【００１５】
膳本体１０は、図１および図２に示すように、全体がやや横長の矩形状に形成されるとともに、図３に示すように、周囲に側板１１Ａ付きの底板１１上に中間板１２，１３が積層され、その上に天板１４が積層された４層構造とされている。天板１４の上面には、瓶スタンド２０の支柱２１，２２が収容配置される第１開口部１５および第２開口部１６が設けられている。第１開口部１５は天板１４の略中央に位置し、第２開口部１６は天板１４の隅部に位置している。第１開口部１５は、図２に示すように、第２開口部１６が位置する隅部とその反対側の隅部を結ぶ対角線に沿って長孔に形成されている。
【００１６】
第１開口部１５の近傍に位置して、第２開口部１６が位置する隅部とその反対側の隅部を結ぶ対角線上には、瓶スタンド２０上に支持される焼酎瓶４０（図４参照）から焼酎が注がれるグラス５０を収容する浅底の第１収容凹部１７が設けられている。残る２つの隅部にはその一方に氷容器５１を収容する比較的大径で浅底の第２収容凹部１８が設けられ、その他方に２つの予備のグラス５２，５３や小鉢等を収容する２つの浅底の第３収容凹部１９，１９が設けられている。
【００１７】
長孔に形成された第１開口部１５は、図２および図３に示すように、上側の中間板１３に達し、両中間板１３，１２に第１開口部１５と同じ向きに延びる空所であるガイド部１５Ａが形成されている。このガイド部１５Ａには、瓶スタンド２０の支柱２１を対角線方向にスライド可能に支持するスライダー２３が配置されている。スライダー２３は、支柱２１を保持する上スライダー部材２３Ａと下スライダー部材２３Ｂとから構成されている。スライダー２３は、図２に示すように、平面視すると、第１開口部１５の狭幅部分よりも左右に突出する大きさの円板をしており、スライダー２３の左右突出部分が天板１４により上から押えられて、支柱２１が左右にぐらつかないように補強されている。
【００１８】
第２開口部１６は、上側の中間板１３を貫通し、下側の中間板１２に達して同中間板１２に空所である拡径部１６Ａが形成されている。この拡径部１６Ａには瓶スタンド２０の支柱２２を支持する支持ベース２４が固定配置されている。
【００１９】
瓶スタンド２０は、図４に示すように、飲料瓶４０をその口部４０Ａが下を向く傾斜姿勢に保持するもので、飲料瓶４０の首部４０Ｂを下から支持する支柱２１と、飲料瓶４０の胴部４０Ｃを下から支持する支柱２２とを備えている。支柱２１は前記第１開口部１５に、支柱２２は前記第２開口部１６にそれぞれ収納配置されている。また、支柱２１は、前記第１開口部１５の直下のガイド部１５Ａに配置されるスライダー２３により支持され、支柱２２は、支柱２１よりも高く、第１開口部１６の直下の拡径部１６Ａに配置される支持ベース２４により支持されている。支柱２２の高さを調整することにより、焼酎瓶４０の傾斜角度を調整できる。焼酎瓶４０の傾斜角度は水平面に対し５度ないし１５度の範囲が好ましい。
【００２０】
支柱２１，２２間には、連結板２５がねじ２６により取り付けられている。連結板２５には、等ピッチで複数のねじ孔２７が設けられており、ねじ２６を挿入するねじ孔２７の位置を変更することで支柱２１，２２間の長さを調整することができる。各支柱２１，２２の上端には、焼酎瓶４０の首部４０Ｂを下に傾けた姿勢で、焼酎瓶４０の首部４０Ｂおよび胴部４０Ｃを下から同時に保持する略Ｕ字形の保持部２８，２９が設けられている。
【００２１】
焼酎瓶４０の胴部４０Ｃを保持する側の保持部２９には、焼酎瓶４０の胴部４０Ｃに巻き付けられる面ファスナー３０Ａ付きのベルト３０が設けられている。ベルト３０を備えることにより、支柱２１，２２上の焼酎瓶４０が不用意に膳本体１０の上に落下するのを防ぐことができる。
【００２２】
焼酎瓶４０の口部４０Ａには、連結キャップ３１を介してコック３２が取り付けられている。このコック３２は、連結キャップ３１の前面にコック本体３３が一体に設けられ、開閉レバー３４の開閉操作により、焼酎瓶４０内の焼酎を蛇口３５から吐出および停止させることができる。
【００２３】
膳本体１０は、木製板で製作してよく、段ボール板を用いて製作することもできる。段ボール板を用いる場合、段ボール板を底板１１用、中間板１２，１３用、天板１４用にカットして、これらを接着積層して膳本体１０とする。段ボール板を積層することで、軽量でかつ強度のある膳本体１０を安価な費用で製作することができる。
【００２４】
次に、以上のように構成された飲料サーバーセットＳの使用方法について、以下に説明する。
【００２５】
まず、膳本体１０の上の瓶スタンド２０に飲料瓶（飲料容器）として焼酎瓶４０をセットする。焼酎瓶４０として一升瓶を用いる場合には、首部４０Ｂを支持する支柱２１を第１開口部１５の長孔方向に沿って前方にスライドさせる。五合瓶を用いる場合には、支柱２１を後方にスライドさせる。これらの場合、ねじ２６を外してねじ孔２７の位置を調整し、再びねじ２６で連結板２５を取り付ける。焼酎瓶４０を両支柱２１，２２の保持部２８，２９間に架け渡し、後方の支柱２２側のベルト３０を焼酎瓶４０の胴部４０Ｃに巻き付け、面ファスナー３０Ａで固定する。これにより、焼酎瓶４０が口部４０Ａを下にして５度ないし１５度の傾斜姿勢で瓶スタンド２０上に保持される。
【００２６】
次に、第１収容凹所１７にグラス５０をセットし、第２収容凹所１８には氷容器５１をセットする。氷容器５１の代わりに水差しをセットしてよい。必要に応じて第３収容凹所１９，１９に予備のグラス５２，５３をセットする。第３収容凹所１９には小鉢や小皿をセットしてよい。
【００２７】
かかる状態で、使用者は、コック３２の開閉レバー３４を開操作して、蛇口３５の直下に位置するグラス５０内に好みの量の焼酎を注ぐことができる。
【００２８】
本実施形態の飲料サーバーセットＳによると、市販の焼酎瓶４０を手で傾けることなく、コック３２を操作して、焼酎瓶４０からグラス５０に焼酎を気軽に注ぐことができる。したがって、お年寄りや握力が弱い人でも、安心してお酒などを提供したり、自ら楽しんだりすることができる。また、膳本体１０上に飲料瓶４０、グラス５０、氷容器５１等をまとめて収容できるように工夫することで、居酒屋、料理店のカウンター、各家庭などで、各人が他人に煩わされることなく自分のペースでお酒などを楽しむことができる。さらに楽しんだ後は一度にまとめて後片付けできる。
【００２９】
本考案の飲料サーバーセットＳには、焼酎瓶、清酒瓶、飲料ペットボトルなど様々な飲料容器をセットすることができる。また、醤油瓶を調味料とともにセットして、調理室や家庭用台所で用いることもできる。
【００３０】
かくして、本考案によれば、使い勝手の大変優れた飲料サーバーセットを提供することができ、多くの人がこれを楽しむことができるようになる。
【産業上の利用可能性】
【００３１】
本考案に係る飲料サーバーセットは、市販の焼酎瓶等から手軽に飲料をグラスに注ぐことができ、他の容器とともに楽しめる飲料サーバーセットとして利用可能である。また、醤油瓶等を他の調味料とともにまとめて揃えておける調味料セットとしても利用可能である。
【符号の説明】
【００３２】
１０  膳本体
１１  底板
１２，１３  中間板
１４  天板
１５  第１開口部
１５Ａ  ガイド部
１６  第２開口部
１６Ａ  拡径部
１７  第１収容凹部
１８  第２収容凹部
１９  第３収容凹部
２０  瓶スタンド
２１，２２  支柱
２３  スライダー
２３Ａ  上スライダー部材
２３Ｂ  下スライダー部材
２４  支持ベース
２５  連結板
２６  ねじ
２７  ねじ孔
２８，２９  保持部
３０  ベルト
３０Ａ  面ファスナー
３１  連結キャップ
３２  コック
３３  コック本体
３４  開閉レバー
３５  蛇口
４０  焼酎瓶（飲料瓶）
４０Ａ  口部
４０Ｂ  首部
４０Ｃ  胴部
５０，５２，５３  グラス
５１  氷容器
Ｓ  飲料サーバーセット
【図１】
0003153629.tif 000003
【図２】
0003153629.tif 000004
【図３】
0003153629.tif 000005
【図４】
0003153629.tif 000006